(57)【要約】【課題】試験環境の形成にかかる消費エネルギーを低減するとともに、その試験環境を安定化させることができるセントラル空調装置の試験環境調整装置を提供する。【解決手段】試験対象の空調装置１０を試験室１２の床面中央に設置するのに対し、空気熱交換器２１〜２４で生成した冷暖気が試験対象の空調装置１０を周回し且つ上下方向に移動する空気流として生成される。【選択図】図２
2009156485.tif 000002
【特許請求の範囲】
【請求項１】
試験室内において、試験対象となるセントラル空調装置の冷暖房運転の性能試験を所定の試験環境下で行わせるためのその試験環境を調整する試験環境調整装置であって、
前記試験対象の空調装置に対して着脱可能に接続され前記試験対象の空調装置の冷暖房運転時に使用する第１循環液を循環液熱交換器の一次側との間で循環させる構成の第１循環回路と、前記循環液熱交換器の二次側と空気熱交換器とで前記第１循環液との熱交換を行う第２循環液を循環させる構成の第２循環回路とを備え、前記空気熱交換器において前記試験対象の空調装置の冷暖房運転時に生じる排気熱を相殺するための冷暖気を周囲空気及び前記第２循環液に基づいて生成して前記試験室内に排出するとともに、
前記試験対象の空調装置を前記試験室の床面中央に設置するのに対して、前記空気熱交換器で生成した冷暖気を前記試験対象の空調装置を周回する空気流を生成する空気流生成手段を備えたことを特徴とするセントラル空調装置の試験環境調整装置。
【請求項２】
請求項１に記載のセントラル空調装置の試験環境調整装置において、
前記空気流生成手段は、前記空気熱交換器で生成した冷暖気を前記試験室の上下方向に移動させつつ前記試験対象の空調装置を周回する空気流として生成するものであることを特徴とするセントラル空調装置の試験環境調整装置。
【請求項３】
請求項１又は２に記載のセントラル空調装置の試験環境調整装置において、
前記空気熱交換器側の吸入口及び吹出口は複数設けられるものであり、
前記空気流生成手段は、前記空気熱交換器側の吸入口及び吹出口の方向及び高さの設定に基づいて該空気熱交換器で生成した冷暖気の前記空気流を生成することを特徴とするセントラル空調装置の試験環境調整装置。
【請求項４】
請求項１〜３のいずれか１項に記載のセントラル空調装置の試験環境調整装置において、
前記試験対象の空調装置は、略直方体形状をなし、側面部に吸入口、上面部に排気口がそれぞれ設けられるものであり、
前記排気口からの排気を前記試験室の上方に向けて案内し前記試験対象の空調装置から上方に離間した位置で周囲に発散可能とする排気案内手段を備えたことを特徴とするセントラル空調装置の試験環境調整装置。
【発明の詳細な説明】
【技術分野】
【０００１】
本発明は、セントラル空調装置の冷暖房運転の性能試験を所定の試験環境下で行わせるためのその試験環境を調整する試験環境調整装置に関するものである。
【背景技術】
【０００２】
ビル等の建築物では、室内機の全部又は所定数毎に共通のセントラル空調装置が例えば屋外に設置されており、そのセントラル空調装置と室内機とが協働して室内の空調を行うセントラル空調方式が一般に採用されている（例えば特許文献１参照）。
【０００３】
ところで、このようなセントラル空調装置の冷暖房運転の性能試験を行う場合、試験室内の温度や湿度等、試験環境を規格で定められた一定条件下に維持するように、その試験室の空調を行うための試験室空調装置が設置されている。
【特許文献１】特開２００６−６４２５９号公報
【発明の開示】
【発明が解決しようとする課題】
【０００４】
しかしながら、セントラル空調装置は大型であることから、試験時の冷暖房運転に基づいて多大な排気熱が生じ、この排気熱により試験環境を変化させてしまう。そのため、試験環境を維持すべくこのような多大な排気熱を相殺するように試験室空調装置を稼働させると、多大なエネルギーを消費することになる。
【０００５】
また、試験室内において試験環境に偏りが生じると、セントラル空調装置の性能試験の精度低下に繋がることから、試験環境を常に安定化させることも要求されている。
本発明は、上記課題を解決するためになされたものであって、その目的は、試験環境の形成にかかる消費エネルギーを低減するとともに、その試験環境を安定化させることができるセントラル空調装置の試験環境調整装置を提供することにある。
【課題を解決するための手段】
【０００６】
上記課題を解決するために、請求項１に記載の発明は、試験室内において、試験対象となるセントラル空調装置の冷暖房運転の性能試験を所定の試験環境下で行わせるためのその試験環境を調整する試験環境調整装置であって、前記試験対象の空調装置に対して着脱可能に接続され前記試験対象の空調装置の冷暖房運転時に使用する第１循環液を循環液熱交換器の一次側との間で循環させる構成の第１循環回路と、前記循環液熱交換器の二次側と空気熱交換器とで前記第１循環液との熱交換を行う第２循環液を循環させる構成の第２循環回路とを備え、前記空気熱交換器において前記試験対象の空調装置の冷暖房運転時に生じる排気熱を相殺するための冷暖気を周囲空気及び前記第２循環液に基づいて生成して前記試験室内に排出するとともに、前記試験対象の空調装置を前記試験室の床面中央に設置するのに対して、前記空気熱交換器で生成した冷暖気を前記試験対象の空調装置を周回する空気流を生成する空気流生成手段を備えたことをその要旨とする。
【０００７】
この発明では、試験対象のセントラル空調装置に対して着脱可能に接続され試験対象の空調装置の冷暖房運転時に使用する第１循環液を循環液熱交換器の一次側との間で循環させる第１循環回路が構成されるとともに、循環液熱交換器の二次側と空気熱交換器とでその第１循環液との熱交換を行う第２循環液を循環させる第２循環回路とが構成される。そして、空気熱交換器からは、試験対象の空調装置の冷暖房運転時に生じる排気熱を相殺するための冷暖気が周囲空気及び第２循環液に基づいて生成されて試験室内に排出される。つまり、試験対象の空調装置の冷暖房運転の性能試験を行う際、運転時に生じる排気熱の他にその運転時に使用される循環液（第１循環液）からも排熱が生じる。この循環液（第１循環液）からの排熱は循環液熱交換器から第２循環液を通じて空気熱交換器に供給され、該空気熱交換器にて試験対象の空調装置の排気熱を相殺する冷暖気を生成するのに利用されて、試験対象の空調装置の排気熱による試験室内の温度変化が抑制される。このように試験対象の空調装置の運転で生じる排熱の一部を利用して所定の試験環境下に維持するための試験室内の空調が行われることから、その空調にかかる消費エネルギーを低減することが可能となる。しかも、試験対象の空調装置を試験室の床面中央に設置するのに対し、空気流生成手段により空気熱交換器で生成した冷暖気が試験対象の空調装置を周回する空気流とされる。これにより、室内空気が撹拌されることから、試験室内の試験環境の安定化に寄与できる。
【０００８】
請求項２に記載の発明は、請求項１に記載のセントラル空調装置の試験環境調整装置において、前記空気流生成手段は、前記空気熱交換器で生成した冷暖気を前記試験室の上下方向に移動させつつ前記試験対象の空調装置を周回する空気流として生成するものであることをその要旨とする。
【０００９】
この発明では、空気流生成手段により、空気熱交換器で生成した冷暖気が試験室の上下方向に移動しつつ試験対象の空調装置を周回する空気流として生成される。これにより、室内空気が上下方向にも撹拌されることから、試験室内の試験環境のより一層の安定化に寄与できる。
【００１０】
請求項３に記載の発明は、請求項１又は２に記載のセントラル空調装置の試験環境調整装置において、前記空気熱交換器側の吸入口及び吹出口は複数設けられるものであり、前記空気流生成手段は、前記空気熱交換器側の吸入口及び吹出口の方向及び高さの設定に基づいて該空気熱交換器で生成した冷暖気の前記空気流を生成することをその要旨とする。
【００１１】
この発明では、空気熱交換器側の吸入口及び吹出口は複数設けられ、該空気熱交換器側の吸入口及び吹出口の方向及び高さの設定にて空気流が生成される。これにより、空気流を生成する手段を別途必要としないので、装置数を少なく構成できる。
【００１２】
請求項４に記載の発明は、請求項１〜３のいずれか１項に記載のセントラル空調装置の試験環境調整装置において、前記試験対象の空調装置は、略直方体形状をなし、側面部に吸入口、上面部に排気口がそれぞれ設けられるものであり、前記排気口からの排気を前記試験室の上方に向けて案内し前記試験対象の空調装置から上方に離間した位置で周囲に発散可能とする排気案内手段を備えたことをその要旨とする。
【００１３】
この発明では、試験対象の空調装置は側面部に吸入口、上面部に排気口がそれぞれ設けられ、排気案内手段により、試験対象の空調装置の排気口からの排気が試験室の上方に向けて案内され該試験対象の空調装置から上方に離間した位置で周囲に発散可能とされる。これにより、試験対象の空調装置の排気の吸入口への直接的な再吸い込みが低減され、その排気が試験室内に分散される。これにより、試験室内の試験環境の安定化に寄与できる。
【発明の効果】
【００１４】
本発明によれば、試験環境の形成にかかる消費エネルギーを低減するとともに、その試験環境を安定化させることができるセントラル空調装置の試験環境調整装置を提供することができる。
【発明を実施するための最良の形態】
【００１５】
以下、本発明を具体化した一実施形態を図面に従って説明する。
図１は、セントラル空調方式としてビル等の建築物に設置されるセントラル空調装置１０の試験環境調整装置１１を示す。略立方体箱形状をなす試験室１２は、冷暖房運転の性能試験を行う試験対象のセントラル空調装置１０が床面中央に設置されるように設定されており、試験対象の空調装置１０が搬入搬出可能で密閉可能に構成されている。試験室１２には、隣接する機械室１３に設置される試験室空調装置１４とダクト１５を通じて接続されている。試験室空調装置１４は、試験室１２の空調を行うものである。
【００１６】
試験室１２内の床面四隅には、試験室１２内の空調を行う第１〜第４空気熱交換器２１〜２４が設置されている（図２参照）。これら第１〜第４空気熱交換器２１〜２４は、試験対象の空調装置１０の冷暖房運転試験時に生じる排水熱を利用して空調を行うように接続されている。
【００１７】
詳述すると、試験対象の空調装置１０には、その試験時に、第１プレート式熱交換器２６の一次側とで循環水（第１循環液）を循環させる第１循環回路２５Ａを形成すべく、第１プレート式熱交換器２６の一次側から延びる一次側入力及び出力配管２７，２８が着脱可能に接続される。試験対象の空調装置１０から排出される循環水は、一次側入力配管２７を通じて第１プレート式熱交換器２６に流入し、二次側とで熱交換がなされた後の循環水が一次側出力配管２８を通じて試験対象の空調装置１０に排出される。この一次側出力配管２８上にはクッションタンク２９及びポンプ３０が設けられており、インバータ制御によるポンプ３０の作動及びクッションタンク２９にて第１循環回路２５Ａ内の循環水の流量が調整されている。
【００１８】
一方、第１プレート式熱交換器２６の二次側は、第１〜第４空気熱交換器２１〜２４及び第２プレート式熱交換器３１とで不凍液（第２循環液）を循環させる第２循環回路２５Ｂが形成されている。第１プレート式熱交換器２６の二次側出力配管３２は、三方弁３３を介して第１〜第４空気熱交換器２１〜２４の各入力配管３４にそれぞれ接続され、第１〜第４空気熱交換器２１〜２４の各出力配管３５は１本に集約されて第２プレート式熱交換器３１の一次側入力配管３６に接続されている。
【００１９】
また、第１〜第４空気熱交換器２１〜２４の各出力配管３５は、戻し配管３７を介して前記三方弁３３と接続され、出力配管３５から出力された不凍液の一部を入力配管３４側に再入力可能な構成となっている。三方弁３３は、温度制御装置３８により不凍液の入力側への戻し量を調整している。温度制御装置３８は、第２プレート式熱交換器３１の一次側入力配管３６内の不凍液温度が試験対象の空調装置１０の冷房運転時及び暖房運転時それぞれの設定温度となるように三方弁３３を制御し、不凍液の戻し量を調整している。そして、第２プレート式熱交換器３１の一次側出力配管３９からは、二次側とで熱交換がなされた後の不凍液が排出される。
【００２０】
第２プレート式熱交換器３１の一次側出力配管３９は、三方弁４０を介して前記第１プレート式熱交換器２６の二次側入力配管４１と接続されている。この三方弁４０には、バイパス配管４２を介して第２プレート式熱交換器３１の一次側入力配管３６が接続されている。三方弁４０は、温度制御装置４３により第２プレート式熱交換器３１を迂回させる不凍液のバイパス量を調整している。温度制御装置４３は、三方弁４０の出力側の不凍液温度が試験対象の空調装置１０の冷房運転時及び暖房運転時それぞれの設定温度となるように該三方弁４０を制御し、不凍液のバイパス量を調整している。
【００２１】
三方弁４０の出力側に位置する前記第１プレート式熱交換器２６の二次側入力配管４１上には、クッションタンク４４及びポンプ４５が設けられている。そして、インバータ制御によるポンプ４５の作動及びクッションタンク４４により、第２循環回路２５Ｂ内の不凍液の流量が調整されている。
【００２２】
前記第２プレート式熱交換器３１の二次側は、屋外に設置されるクーリングタワー４６と循環配管４７で接続されている。循環配管４７上にはポンプ４８が設けられており、インバータ制御によるポンプ４８の作動により循環配管４７内の循環水の流量が調整されている。
【００２３】
試験室１２内には、上記の他に、補助空気熱交換器５０及び加湿装置５１が設置されている。補助空気熱交換器５０は第１〜第４空気熱交換器２１〜２４に対して補助的に運転されるものであり、加湿装置５１は試験室１２内の湿度を性能試験時に要求される設定湿度となるように調整するものである。因みに、補助空気熱交換器５０は、屋外に設置されるヒートポンプチラー５２と循環配管５３で接続されている。循環配管５３上にはクッションタンク５４及びポンプ５５が設けられており、インバータ制御によるポンプ５５の作動及びクッションタンク５４にて循環配管５３内の不凍液の流量が調整されている。
【００２４】
次に、このように構成された試験環境調整装置１１の動作について説明する。
［冷房運転性能試験時］
試験対象のセントラル空調装置１０の冷房運転性能試験を行う前に先ず、試験室１２内の温度・湿度等の試験環境が日本工業規格（ＪＩＳ）で定められた試験環境となるように試験室空調装置１４にて調整される。そして、試験環境が整うと試験室空調装置１４は停止され、試験対象の空調装置１０の冷房運転がその試験環境下で実施される。試験対象の空調装置１０が冷房運転されると、その冷房運転に基づいて吸入口１０ａ（図２及び図３参照）から周囲空気を吸い込み排気口１０ｂから温風が排出される。これにより、試験室１２内の温度が上昇しようとする。
【００２５】
同時に、試験対象の空調装置１０からその冷房運転に伴って排出される循環水が例えば７℃の冷水として排出される。第１循環回路２５Ａでは、第１プレート式熱交換器２６において二次側の第２循環回路２５Ｂとの熱交換により循環水温度が例えば１２℃まで上昇して試験対象の空調装置１０に戻される。
【００２６】
第１プレート式熱交換器２６の二次側の第２循環回路２５Ｂでは、その一次側の第１循環回路２５Ａとの熱交換により例えば９℃まで低下した不凍液温度が第１〜第４空気熱交換器２１〜２４に供給される。第１〜第４空気熱交換器２１〜２４は、吸入口２１ａ〜２４ａ（図２及び図３参照）から周囲空気を吸い込むとともに温度の低下した不凍液の供給を受けて冷気を生成し、吹出口２１ｂ〜２４ｂから冷風として試験室１２内に排出する。つまり、試験対象の空調装置１０の冷房運転に伴う温風にて試験室１２内の温度が上昇しようとするのを、第１〜第４空気熱交換器２１〜２４で生成する冷風にて相殺しようと各空気熱交換器２１〜２４が作動する。尚、第１〜第４空気熱交換器２１〜２４で生成する冷風が試験対象の空調装置１０で生じる温風に対して不足する場合には、補助空気熱交換器５０が作動されてその不足分が補填される。
【００２７】
第１〜第４空気熱交換器２１〜２４から排出された不凍液は、冷風の生成に伴って上昇する。この場合、不凍液の温度を低下させる必要がないことから、第２プレート式熱交換器３１を迂回させるべく三方弁４０の作動に基づいてバイパス配管４２が導通され、各空気熱交換器２１〜２４から排出された不凍液が例えば１４℃とされて第１プレート式熱交換器２６に戻される。
【００２８】
このように冷房運転性能試験時においては、試験対象の空調装置１０の冷房運転で温風が生じるものの、その冷房運転で生じる排水熱が第１〜第４空気熱交換器２１〜２４での冷風の生成に使用される。そして、第１〜第４空気熱交換器２１〜２４で生成した冷風、不足時には小型の補助空気熱交換器５０からの冷風を加えることで、試験室１２内の温度が設定温度で一定に保たれるようになっている。尚、第１〜第４空気熱交換器２１〜２４及び補助空気熱交換器５０では湿度が制御できないため、試験室１２内の湿度は加湿装置５１にて調整される。このようにして試験環境が調整された試験室１２内において、試験対象の空調装置１０の冷房運転性能試験が実施される。
【００２９】
［暖房運転性能試験時］
同様に、試験対象のセントラル空調装置１０の暖房運転性能試験を行う前に先ず、試験室１２内の温度・湿度等の試験環境が日本工業規格（ＪＩＳ）で定められた試験環境となるように試験室空調装置１４にて調整される。そして、試験環境が整うと試験室空調装置１４は停止され、試験対象の空調装置１０の暖房運転がその試験環境下で実施される。試験対象の空調装置１０が暖房運転されると、その暖房運転に基づいて吸入口１０ａ（図２及び図３参照）から周囲空気を吸い込み排気口１０ｂから冷風が排出される。これにより、試験室１２内の温度が低下しようとする。
【００３０】
同時に、試験対象の空調装置１０からその暖房運転に伴って排出される循環水が例えば４５℃の温水として排出される。第１循環回路２５Ａでは、第１プレート式熱交換器２６において二次側の第２循環回路２５Ｂとの熱交換により循環水温度が例えば４０℃まで低下して試験対象の空調装置１０に戻される。
【００３１】
第１プレート式熱交換器２６の二次側の第２循環回路２５Ｂでは、その一次側の第１循環回路２５Ａとの熱交換により例えば４３℃まで上昇した不凍液温度が第１〜第４空気熱交換器２１〜２４に供給される。第１〜第４空気熱交換器２１〜２４は、吸入口２１ａ〜２４ａ（図２及び図３参照）から周囲空気を吸い込むとともに温度の上昇した不凍液の供給を受けて暖気を生成し、吹出口２１ｂ〜２４ｂから温風として試験室１２内に排出する。つまり、試験対象の空調装置１０の暖房運転に伴う冷風にて試験室１２内の温度が低下しようとするのを、第１〜第４空気熱交換器２１〜２４で生成する温風にて相殺しようと各空気熱交換器２１〜２４が作動する。
【００３２】
第１〜第４空気熱交換器２１〜２４から排出された不凍液は、温風の生成に伴って低下する。この場合、不凍液の温度をより低下させるべく第２プレート式熱交換器３１が使用され、各空気熱交換器２１〜２４から排出された不凍液がこの第２プレート式熱交換器３１を経ることで例えば３８℃とされて第１プレート式熱交換器２６に戻される。
【００３３】
このように暖房運転性能試験時においては、試験対象の空調装置１０の暖房運転で冷風が生じるものの、その暖房運転で生じる排水熱が第１〜第４空気熱交換器２１〜２４での温風の生成に使用される。そして、第１〜第４空気熱交換器２１〜２４で生成した温風にて、試験室１２内の温度が設定温度で一定に保たれるようになっている。尚、第１〜第４空気熱交換器２１〜２４では湿度が制御できないため、試験室１２内の湿度は加湿装置５１にて調整される。このようにして試験環境が調整された試験室１２内において、試験対象の空調装置１０の暖房運転性能試験が実施される。
【００３４】
更に本実施形態では、試験室１２内の試験環境を安定化する工夫がなされている。
図２及び図３に示すように、試験室１２内において、試験対象のセントラル空調装置１０が床面中央に設置されるのに対し、第１〜第４空気熱交換器２１〜２４が床面四隅にそれぞれ設置されている。これら各空気熱交換器２１〜２４は、その上面部一側に吸入口２１ａ〜２４ａが設けられるとともに、その他方側の側面部に吹出口２１ｂ〜２４ｂが設けられており、各吹出口２１ｂ〜２４ｂが反時計回りに位置する空気熱交換器２１〜２４に向くように設置されている。つまり、試験室１２内において、試験対象の空調装置１０の周囲に反時計回りの空気流が生じて室内空気が撹拌されるように構成されており、試験室１２内の試験環境（温度・湿度）の安定化を図っている。
【００３５】
また、個々の空気熱交換器２１〜２４において、吹出口２１ｂ〜２４ｂが側面部の床面近傍位置に、吸入口２１ａ〜２４ａが上面部に、本実施形態では試験対象の空調装置１０よりも高い位置にそれぞれ設定され、吸入口２１ａ〜２４ａと吹出口２１ｂ〜２４ｂとの高さ位置が異なるように設定されている。これにより、上記のように試験対象の空調装置１０の周囲に空気流が生じるのに加えて更に上下方向にも移動する空気流となって、より試験室１２内の試験環境の安定化が図られる。
【００３６】
更に本実施形態のように、試験対象のセントラル空調装置１０が略直方体形状をなし、吸入口１０ａがその側面部に、排気口１０ｂがその上面部にそれぞれ設けられている場合、その試験時に、試験対象の空調装置１０の排気口１０ｂの周囲を囲う筒状カーテン６０が使用される。尚、この筒状カーテン６０は、試験室１２の天井から吊り下げたり、試験対象の空調装置１０の上部に設置され、試験室１２の約２／３の高さまで設けられている。つまり、試験対象の空調装置１０の冷暖房運転時の排気が筒状カーテン６０にて上方に誘導されて排気の吸入口１０ａへの直接的な再吸い込みが低減され、その排気が試験室１２内に分散される。これによっても、試験室１２内の試験環境の安定化が図られる。
【００３７】
次に、本実施形態の特徴的な作用効果を記載する。
（１）本実施形態では、試験対象のセントラル空調装置１０に対して着脱可能に接続され試験対象の空調装置１０の冷暖房運転時に使用する循環水（第１循環液）をプレート式熱交換器２６の一次側との間で循環させる第１循環回路２５Ａが構成されるとともに、該熱交換器２６の二次側と第１〜第４空気熱交換器２１〜２４とでその循環水との熱交換を行う不凍液（第２循環液）を循環させる第２循環回路２５Ｂとが構成されている。そして、空気熱交換器２１〜２４からは、試験対象の空調装置１０の冷暖房運転時に生じる排気熱を相殺するための冷暖気が周囲空気及び不凍液に基づいて生成されて試験室１２内に排出される。つまり、試験対象の空調装置１０の冷暖房運転の性能試験を行う際、運転時に生じる排気熱の他にその運転時に使用される循環水からも排熱が生じる。この循環水からの排熱はプレート式熱交換器２６から不凍液を通じて空気熱交換器２１〜２４に供給され、該空気熱交換器２１〜２４にて試験対象の空調装置１０の排気熱を相殺する冷暖気を生成するのに利用されて、試験対象の空調装置１０の排気熱による試験室１２内の温度変化が抑制される。このように試験対象の空調装置１０の運転で生じる排熱の一部を利用して所定の試験環境下に維持するための試験室１２内の空調が行われることから、その空調にかかる消費エネルギーを低減することができる。
【００３８】
（２）本実施形態では、試験対象の空調装置１０を試験室１２の床面中央に設置するのに対し、空気熱交換器２１〜２４で生成した冷暖気が試験対象の空調装置１０を周回する空気流として生成される。これにより、室内空気が撹拌されることから、試験室１２内の試験環境の安定化に寄与することができる。
【００３９】
（３）しかも、空気熱交換器２１〜２４で生成した冷暖気が試験室１２の上下方向に移動しつつ試験対象の空調装置１０を周回する空気流として生成される。これにより、室内空気が上下方向にも撹拌されることから、試験室１２内の試験環境のより一層の安定化に寄与することができる。
【００４０】
（４）本実施形態では、空気熱交換器２１〜２４が４台設置され、該空気熱交換器２１〜２４が有する吸入口２１ａ〜２４ａ及び吹出口２１ｂ〜２４ｂの方向及び高さの設定にて空気流が生成される。これにより、空気流を生成する手段を別途必要としないので、装置数を少なく構成することができる。
【００４１】
（５）本実施形態では、試験対象の空調装置１０は側面部に吸入口１０ａ、上面部に排気口１０ｂがそれぞれ設けられ、筒状カーテン６０により、試験対象の空調装置１０の排気口１０ｂからの排気が試験室１２の上方に向けて案内され該試験対象の空調装置１０から上方に離間した位置で周囲に発散可能とされる。そのため、試験対象の空調装置１０の排気の吸入口１０ａへの直接的な再吸い込みが低減され、その排気が試験室１２内に分散される。このことによっても、試験室１２内の試験環境の安定化に寄与することができる。
【００４２】
（６）本実施形態では、試験対象の空調装置１０の上面部に設けた排気口１０ｂの周囲を囲うように筒状カーテン６０が設置される。これにより、設置する態様の筒状カーテン６０にて試験対象の空調装置１０の排気を案内する手段を容易に構成することができる。
【００４３】
（７）本実施形態では、空気熱交換器２１〜２４が４台設置され、該空気熱交換器２１〜２４が有する吸入口２１ａ〜２４ａ及び吹出口２１ｂ〜２４ｂが試験室１２に分散配置される。これにより、試験対象の空調装置１０から生じる排気熱を効率良く吸収できるとともに空気熱交換器２１〜２４で生成されるその排気熱相殺のための冷暖気を試験室１２内に分散できるため、このことによっても、試験室１２内の試験環境の安定化に寄与することができる。
【００４４】
（８）しかも、試験室１２の床面中央に試験対象の空調装置１０が設置されるのに対し、それら各空気熱交換器２１〜２４が床面四隅に配置される。これにより、試験対象の空調装置１０から生じる排気熱をバランス良く吸収できるとともに空気熱交換器２１〜２４で生成されるその排気熱相殺のための冷暖気を試験対象の空調装置１０の周囲にバランス良く分散できるため、試験室１２内の試験環境のより一層の安定化に寄与することができる。このように試験室１２内の試験環境の安定化を図ることで、より一層の消費エネルギーの低減に貢献でき、更には性能試験の精度を向上することもできる。
【００４５】
（９）更に、空気熱交換器２１〜２４を４台設置する構成としたことから、該空気熱交換器２１〜２４に小型で安価なものを使用することが可能となる。
尚、本発明の実施形態は、以下のように変更してもよい。
【００４６】
・上記実施形態では、空気熱交換器２１〜２４を床面四隅に４台設置したが、設置数及び設置位置はこれに限らず、適宜変更してもよい。また、第１〜第４空気熱交換器２１〜２４を試験室１２内に設置したが、これらの空気熱交換器２１〜２４を試験室１２外に設置し、試験室１２の壁面等に設けた吸入口２１ａ〜２４ａ及び吹出口２１ｂ〜２４ｂにダクトにて接続する構成としてもよい。
【００４７】
・上記実施形態では、試験時の空調を空気熱交換器２１〜２４で対応可能であれば、第２プレート式熱交換器３１や補助空気熱交換器５０、及びこれらに付随する装置を省略してもよい。
【００４８】
・上記実施形態では、空気熱交換器２１〜２４が有する吸入口２１ａ〜２４ａ及び吹出口２１ｂ〜２４ｂの方向及び高さの設定にて、該空気熱交換器２１〜２４で生成した冷暖気が試験室１２の上下方向に移動しつつ試験対象の空調装置１０を周回する空気流として生成したが、送風機等、空気流を生成する手段を別途使用してもよい。また、試験室１２内に特に一方向の空気流が生じない態様、例えばランダムな空気流が生じる態様としてもよい。
【００４９】
・上記実施形態では、試験対象の空調装置１０の上部に筒状カーテン６０を設置して該試験対象の空調装置１０の排気の案内を行ったが、排気を案内する手段はこれに限らず、またこの筒状カーテン６０を省略してもよい。
【図面の簡単な説明】
【００５０】
【図１】本実施形態におけるセントラル空調装置の試験環境調整装置を示す概略構成図である。
【図２】試験環境調整装置の構成を説明するための平面図である。
【図３】試験環境調整装置の構成を説明するための側面図である。
【符号の説明】
【００５１】
１０…セントラル空調装置、１０ａ…吸入口、１０ｂ…排気口、１１…試験環境調整装置、１２…試験室、２１〜２４…第１〜第４空気熱交換器（空気熱交換器）、２１ａ〜２４ａ…吸入口（空気流生成手段）、２１ｂ〜２４ｂ…吹出口（空気流生成手段）、２５Ａ…第１循環回路、２５Ｂ…第２循環回路、２６…プレート式熱交換器（循環液熱交換器）、６０…筒状カーテン（排気案内手段）。
【図１】
2009156485.tif 000003
【図２】
2009156485.tif 000004
【図３】
2009156485.tif 000005